(57)【要約】【課題】  特に羽根を調整することにより、放熱効果を高められるコンピュータ用組立式放熱装置を提供する。【解決手段】  本考案は、本体１０を有し、コンピュータの本体１０を構成するフレーム体１２の一側に形成される開口１３に設けられた２本の連結部材２０と、該連結部材２０と結合する複数の羽根３０とを有する放熱装置であって、連結部材２０は柱状を成し、その一側に挿入溝２２が形成されると共に、反対側に係合溝２１が形成され、係合溝２１にフレーム体１２の側縁が係合され、  羽根３０はプレート状を成し、その上部両側に連結部材２０の挿入溝２２に挿設される結合部３１が設けられ、羽根３０は結合部３１に対して斜め下へ傾斜するように設けられ、隣接する羽根３０同士の間には間隙が設けられることを特徴とする。【選択図】  図２
0003109695.tif 000002
【実用新案登録請求の範囲】
【請求項１】
コンピュータの本体１０を構成するフレーム体１２の一側に形成される開口１３に設けられた２本の連結部材２０と、該連結部材２０と結合する複数の羽根３０とを有する放熱装置であって、
前記連結部材２０は柱状をなし、その一側に長手方向に沿って挿入溝２２が形成されると共に、反対側に長手方向に沿って係合溝２１が形成され、該係合溝２１に前記フレーム体１２の側縁が係合され、前記羽根３０はプレート状をなし、その上部両側に下方へ延出して連結部材２０の挿入溝２２に挿設される結合部３１が設けられ、更に、該羽根３０は、結合部３１に対して斜め下へ傾斜するように設けられ、隣接する羽根３０同士の間には間隙が設けられるようにしたことを特徴とするコンピュータ用組立式放熱装置。
【請求項２】
前記連結部材２０の挿入溝２２はＣ字形であると共に、該挿入溝２２と係合溝２１との間にＶ字形の切欠き２３が形成されることを特徴とする請求項１に記載のコンピュータ用組立式放熱装置。
【請求項３】
前記羽根３０の結合部３１は柱状であり、該結合部３１の上部は、隣接する羽根３０の上部を超えないようにしたことを特徴とする請求項１に記載のコンピュータ用組立式放熱装置。
【考案の詳細な説明】
【技術分野】
【０００１】
本考案は、特に、羽根を調整することにより放熱効果を高めることの出来るコンピュータ用組立式放熱装置に関するものである。
【背景技術】
【０００２】
コンピュータ本体は、その殆どがカバーの側面或いは背面に放熱口が形成され、これにより、コンピュータの作動中に発生する本体内の熱を外部に放出するようになっている。
【考案の開示】
【考案が解決しようとする課題】
【０００３】
しかしながら、前記従来の構成では、放熱口の面積に限りがあるので、高い放熱効果が得られないと共に、放熱口は、コンピュータ本体のカバーから露出しているので、外観的にも見栄えがよくない。
【課題を解決するための手段】
【０００４】
本考案の請求項１は、コンピュータの本体１０を構成するフレーム体１２の一側に形成される開口１３に設けられた２本の連結部材２０と、該連結部材２０と結合する複数の羽根３０とを有する放熱装置であって、前記連結部材２０は柱状を成し、その一側に長手方向に沿って挿入溝２２が形成されると共に、反対側に長手方向に沿って係合溝２１が形成され、該係合溝２１にフレーム体１２の側縁が係合されており、前記羽根３０はプレート状を成し、その上部両側に、下方へ延出して連結部材２０の挿入溝２２に挿設される結合部３１が設けられ、該羽根３０は、結合部３１に対して斜め下へ傾斜するように設けられ、隣接する羽根３０同士の間には間隙が設けられることを特徴とするコンピュータ用組立式放熱装置を提供するものである。
【０００５】
本考案の請求項２は、前記連結部材２０の挿入溝２２はＣ字形であると共に、該挿入溝２２と係合溝２１との間にＶ字形の切欠き２３が形成されることを特徴とする請求項１に記載のコンピュータ用組立式放熱装置を提供するものである。
本考案の請求項３は、前記羽根３０の結合部３１は柱状であり、該結合部３１の上部は、隣接する羽根３０の上面を超えないようにしたことを特徴とする請求項１に記載のコンピュータ用組立式放熱装置を提供するものである。
【考案の効果】
【０００６】
本考案は上記の課題を解決するものであり、コンピュータの本体を構成するフレーム体の一側に形成される開口に設けられた２本の連結部材と、該連結部材と結合する複数の羽根とを有する放熱装置であって、前記連結部材は柱状を成し、その一側に長手方向に沿って挿入溝が形成されると共に、反対側に長手方向に沿って係合溝が形成され、該係合溝にフレーム体の側縁が係合され、前記羽根はプレート状を成し、その上部両側に、下方へ延出して連結部材の挿入溝に挿設される結合部が設けられ、該羽根は、結合部に対して斜め下へ傾斜するように設けられ、隣接する羽根同士の間には間隙が設けられる構成であるので、次に示すような効果を有する。
【０００７】
１．本体の一側には一面に羽根が列設され、各羽根の間から放熱を行うことができるので、放熱効果を高めることができる。
２．羽根は、好みの色のものと交換でき、或いは羽根上に模様などを転写することができるので、デザイン性にも優れている。
３．羽根が破損した場合には、連結部材中から取外して新しい羽根と交換するだけでよいので、使用利便性が非常に高い。
４．自ら羽根の色を組合わせることができるので、自分自身の好みに合わせて取り付けることもできて、楽しさや醍醐味を十分に味わうことができる。
５．工具を使用せずに１枚ずつ羽根を取外すことができるので、メンテナンスや修理がし易い。
６．連結部材、羽根、及び本体は、共に嵌め込み手段により組合わされるので、組立や分解がし易い。
【考案を実施するための最良の形態】
【０００８】
以下、添付図面を参照して本考案の好適な実施の形態を詳細に説明する。
【実施例１】
【０００９】
図１は、本考案の第１実施例に係るコンピュータ用組立式放熱装置をコンピュータに取付けた時の斜視図であり、図２は、図１の分解斜視図であり、図３は、本考案に係るコンピュータ用組立式放熱装置の連結部材と羽根との連結関係を示す分解斜視図であり、図４は、本考案に係るコンピュータ用組立式放熱装置をコンピュータに取付けた時の平面断面図であり、図５は、本考案に係るコンピュータ用組立式放熱装置の第２実施例の平面断面図である。
【００１０】
図１及び図２に示すように、本考案のコンピュータ用組立式放熱装置は、コンピュータの本体１０を構成するフレーム体１２の一側に形成される開口１３に設けられた２本の連結部材２０と、該連結部材２０と結合する複数の羽根３０とを有する放熱装置である。
【００１１】
図２乃至図４に示すように、前記連結部材２０は柱状を成し、その一側に長手方向に沿って挿入溝２２が形成されると共に、反対側に長手方向に沿って係合溝２１が形成され、該係合溝２１にフレーム体１２の側縁が係合される。これにより、連結部材２０は本体１０に嵌め込まれると共に、二つの連結部材２０の間には開口１３が形成される。
【００１２】
前記羽根３０はプレート状を成し、その上部両側に下方へ延出して連結部材２０の挿入溝２２に挿設される結合部３１が設けられ、更に、該羽根３０は、結合部３１に対して斜め下へ傾斜するように設けられると共に、該隣接する結合部３１同士の上面は、羽根３０の上部を超えない構成である。
【００１３】
本考案は、上述したような構成であることから、本考案のコンピュータ用組立式放熱装置を組合わせる時には、結合部３１を連結部材２０の上方から挿入溝２２に挿入して１枚目の羽根３０を挿設し、その後、２枚目以降の羽根３０も前記と同様にその上部へ重ねるように挿設していく。この時、２枚目の羽根３０の結合部３１は、１枚目の羽根３０の上部に当接し、それ以降の羽根３０の結合部３１も同様に当接する。これにより、前記本体１０の側面における開口１３を遮蔽できると共に、各羽根３０の間に間隙（符号なし）が形成されるので、優れた放熱効果も提供できる。
【実施例２】
【００１４】
また、図５示すように、第２実施例では、連結部材２０にフレーム体１２が係合され、二つの連結部材２０の挿入溝２２に羽根３０がしっかりと挿設されるが、更に、連結部材２０における挿入溝２２と係合溝２１との間にＶ字形の切欠き２３を形成することにより、連結部材２０が横方向に開く構造となるので、開口１３の幅より小さい羽根３０を設置する場合でも、開口１３にしっかりと羽根３０を挿設することができる。
【００１５】
尚、上述した実施形態は単に本考案の一部の形態であり、本明細書に示す主張の範囲内であれば如何なる形態に構成させてもよく、また、容易に想到し得る範囲内であれば、当然本考案の主張範囲に属することは言うまでもない。
【図面の簡単な説明】
【００１６】
【図１】本考案に係るコンピュータ用組立式放熱装置をコンピュータに取付けた時の斜視図である。
【図２】図１の分解斜視図である。
【図３】本考案に係るコンピュータ用組立式放熱装置の連結部材と羽根との連結関係を示す分解斜視図である。
【図４】本考案に係るコンピュータ用組立式放熱装置をコンピュータに取付けた時の平面断面図である。
【図５】本考案に係るコンピュータ用組立式放熱装置の他の実施例の平面断面図である。
【符号の説明】
【００１７】
１０        本体
１１        カバー
１２        フレーム体
１３        開口
２０        連結部材
２１        係合溝
２２        挿入溝
２３        切欠き
３０        羽根
３１        結合部
【図１】
0003109695.tif 000003
【図２】
0003109695.tif 000004
【図３】
0003109695.tif 000005
【図４】
0003109695.tif 000006
【図５】
0003109695.tif 000007